(57)【特許請求の範囲】
【請求項１】
左右一対の円板状の畦成形ディスクを、前後上下左右に位置調整可能に取付可能とする支持体に取り付けて畦成形ユニットを構成し、牽引作業車の後部に複数の畦成形ユニットを左右方向に装着する畦成形機を用いた畦成形方法であって、前記畦成形ユニットを構成する左右一対の前記畦成形ディスクを、前方の間隔が後方よりも大きくなるように左右対称に配置し、複数の前記畦成形ユニットを前後方向に交互にずらせて配置し、前記畦成形ユニットの左右隣接する畦成形ディスクを後面視で一部重複して配置することを特徴とする畦成形方法。
【請求項２】
前記畦成形ユニットは牽引作業車の後部に取り付けられる播種機の後部に一体的に取り付けられることを特徴とする請求項１に記載の畦成形方法。
【発明の詳細な説明】
【技術分野】
【０００１】
本発明は、播種機に装着して、播種と同時に畦立てを行う畦成形機を用いた畦成形方法の技術に関する。
【背景技術】
【０００２】
従来、左右一対のディスクコルターを左右に配置して、移植機に装着して牽引することにより、畦を成形する技術が公知となっている（例えば特許文献１参照）。
【先行技術文献】
【特許文献】
【０００３】
【特許文献１】特許第３５８６８８６号公報
【発明の概要】
【発明が解決しようとする課題】
【０００４】
前記特許文献１における畦成形装置においては、円板状の左右一対の左右一対のディスクコルターと、円錐台状の左右一対の高畦成形体とを二組左右並列に配置して、ディスクコルターの下周頂部と高畦成形体の下周頂部とが、本装置の進行方向一直線上に位置するように支承して高畦を形成する構成としていた。このような構成であると、左右の１組と１組の間の溝、つまり、本機左右中央にはディスクコルターと高畦成形体によって二つの溝とその間に小さな山ができてしまう。この小さな山は崩れやすいため水の流れを悪くしてしまう。また、本機左右中央側のディスクコルターの進行方向に対する角度を大きくすると、ディスクコルターの前端同士が当接して畦を成形する時に干渉してしまう。
一方、そば等を栽培する場合には、畦を成形することはなく平地に播種していた。しかし、排水性が悪い土壌では、湿害が発生することがあった。そこで、播種時に小さな畦を成形することで湿害を防止できるようにする。この小さな畦を成形するために、畦成形ディスクを播種位置の両側に配置し、隣接する畦成形ディスクは干渉しないようにするとともに、播種位置と播種位置との間には、ひとつの溝が形成されるようにしようとする。
【課題を解決するための手段】
【０００５】
本発明の解決しようとする課題は以上の如くであり、次にこの課題を解決するための手段を説明する。
即ち、請求項１においては、左右一対の円板状の畦成形ディスクを、前後上下左右に位置調整可能に取付可能とする支持体に取り付けて畦成形ユニットを構成し、牽引作業車の後部に複数の畦成形ユニットを左右方向に装着する畦成形機を用いた畦成形方法であって、前記畦成形ユニットを構成する左右一対の前記畦成形ディスクを、前方の間隔が後方よりも大きくなるように左右対称に配置し、複数の前記畦成形ユニットを前後方向に交互にずらせて配置し、前記畦成形ユニットの左右隣接する畦成形ディスクを後面視で一部重複して配置するものである。
【０００６】
請求項２においては、前記畦成形ユニットは牽引作業車の後部に取り付けられる播種機の後部に一体的に取り付けられるものである。
【発明の効果】
【０００７】
本発明の効果として、以下に示すような効果を奏する。
即ち、確実に畦を成形して、畦と畦の間には一つの溝が成形されて、圃場に冠水した場合であっても、水を溝へ逃がして排水性が高められ、湿害を防止できるようになった。特に、播種と同時に畦を成形できるため、種子の冠水を防ぎ、発芽時やそれ以降の湿害を回避でき、収量を向上させることができる。
【図面の簡単な説明】
【０００８】
【図１】本発明の実施形態に係る畦成形機をトラクタに装着した構成を示した側面図。
【図２】同じく平面図。
【図３】施肥播種機に畦成形機を装着した側面図。
【図４】畦成形機の側面図。
【図５】畦成形機の平面図。
【図６】畦成形機の後面図。
【図７】畦成形機の拡大平面図。
【図８】従来の施肥播種機の側面図。
【発明を実施するための形態】
【０００９】
次に、図１、図２において、本発明の畦成形機１を施肥播種機２の後部に装着し、牽引作業車両としてのトラクタ３に装着したロータリ耕耘装置４の後部に施肥播種機２を装着した実施形態について説明する。なお、矢印Ｆ方向を前方として説明する。
【００１０】
トラクタ３の後部に作業機装着装置５を介してロータリ耕耘装置４が装着され、該ロータリ耕耘装置４のデプスフレーム６後端に横架したデプスバー７に施肥播種機２の取付ヒッチ装置８が固定される。該取付ヒッチ装置８の後端に取付バー９が横設され、該取付バー９に数条の施肥播種機２・２・・・が取り付けられる。本実施形態では４条分取り付けられる。
【００１１】
前記施肥播種機２は、図３に示すように、前記取付バー９に固定される取付フレーム１０の後部に繰出装置１１が取り付けられる。繰出装置１１は肥料繰出装置１１ａと種子繰出装置１１ｂからなり、肥料繰出装置１１ａの前部が取付フレーム１０に固定され、肥料繰出装置１１ａの後部に種子繰出装置１１ｂが固定される。なお、肥料繰出装置１１ａと種子繰出装置１１ｂは図示しない接地輪からの動力、または、モータの動力により走行速度に同期して駆動される。
【００１２】
前記繰出装置１１の上部にはホッパー１２が載置固定される。ホッパー１２は肥料ホッパー１２ａと種子ホッパー１２ｂからなり、肥料ホッパー１２ａは肥料繰出装置１１ａの上部に固定され、種子ホッパー１２ｂは種子繰出装置１１ｂの上部に固定され、肥料ホッパー１２ａの後面に種子ホッパー１２ｂが固定される。
前記種子繰出装置１１ｂの下部にはガイドホースが連通され、ガイドホースの下端は下方に延設されて後述する作溝ディスク１６の内側へ種子が落下するようにしている。前記肥料繰出装置１１ａの下部にはガイドホースが連通され、ガイドホースの下端は作溝ディスク１６の外側下方へ延設され、播種位置の側方に施肥されるようにしている。但し、本実施形態では、肥料繰出装置１１ａと種子繰出装置１１ｂと肥料ホッパー１２ａと種子ホッパー１２ｂを設けているが、作業形態によっては肥料繰出装置１１ａと肥料ホッパー１２ａの施肥装置、または、種子繰出装置１１ｂと種子ホッパー１２ｂの播種装置のみで構成することもできる。
【００１３】
前記取付フレーム１０の下部には平行リンク１３・１３を介して播種フレーム１４が上下揺動自在に連結される。前記下側の平行リンク１３の前枢支軸と上側の平行リンク１３の後枢支軸との間にはバネ１５が連結される。つまり、平行リンク１３・１３の前後方向の対角線上の枢支軸間に、バネ１５が介装され、播種フレーム１４を常に一定力で下方に付勢し圃場面の凹凸に対応できるようにしている。
【００１４】
前記播種フレーム１４の前端から下方に支持杆が垂設され、該支持杆の下端に左右一対の円板状の作溝ディスク１６・１６が平面視Ｖ字状に回転自在に取り付けられる。前記播種フレーム１４の後端に本発明の畦成形機１が取り付けられる。なお、従来の施肥播種機は、図８に示すように、播種フレーム１４の前下部から取付杆を後下方に延設して下端に覆土板１７を取り付け、播種フレーム１４の後端からローラフレーム１９を後下方に延設して鎮圧ローラ１８を取り付けていた。本発明の畦成形機１は、覆土板１７と鎮圧ローラ１８を外して、ローラフレーム１９の代わりに畦成形機１の支持体２０（覆土装着ステー２１の前端）を取り付けるようにしている。従って、従来の施肥播種機を有効に利用でき、専用の牽引装置等を設計・製作したり、購入したりする必要がなく、安価に得ることができる。
【００１５】
次に、本発明の畦成形機１について、図４乃至図７より説明する。
畦成形機１は、支持体２０に左右の畦成形ディスク（覆土板）２６・２６が取り付けられて、畦成形ユニット３０が構成される。図２においては４つの畦成形ユニット３０が装着される。支持体２０は、前記播種フレーム１４の後端に取り付ける覆土装着ステー２１と、該覆土装着ステー２１に前後位置調節可能に取り付けるステー取付体２２と、該ステー取付体２２に左右方向に位置変更可能に取り付けられる左右の取付ステー２３・２３と、該取付ステー２３・２３のそれぞれの外端に固定される角度高さ変更体２４・２４と、該角度高さ変更体２４・２４に左右角度及び高さを調節可能に取り付けられる支持杆２５・２５から構成され、該支持杆２５・２５の下端に畦成形ディスク２６・２６が回転自在に支持される。
【００１６】
前記覆土装着ステー２１は、取付部２１ａとステー部２１ｂからなり、取付部２１ａはプレートを平面視コ字状に折り曲げて、播種フレーム１４の後端に固定できるようにしている。つまり、従来の施肥播種機２のローラフレーム１９の前端と同形状に構成して、容易に着脱できて交換できるようにしている。ステー部２１ｂは角パイプからなり、前端を取付部２１ａの後面に固定し、後方へ水平方向に延設している。
【００１７】
前記ステー取付体２２は、前後方向嵌合部２２ａと左右方向嵌合部２２ｂからなり、前後方向嵌合部２２ａは角パイプにより構成して前記覆土装着ステー２１のステー部２１ｂを前後摺動自在に外嵌してボルト２７により任意位置で固定できるようにしている。前記左右方向嵌合部２２ｂは上下平行に配置した一対の角パイプからなり、左右の取付ステー２３・２３の一端をそれぞれ挿入できるようにし、ボルト２８・２８により取付ステー２３・２３を任意位置で固定できるようにしている。本実施形態では、左右方向嵌合部２２ｂの上側の角パイプに右側の取付ステー２３の左端を挿入し、下側の角パイプに左側の取付ステー２３の右端を挿入し、所定の位置でボルト２８・２８により固定している。
【００１８】
前記角度高さ変更体２４と支持杆２５と畦成形ディスク２６は左右対称に構成されるため左側について説明し、右側の説明は省略する。
前記角度高さ変更体２４は、前記取付ステー２３の他端に固定され前後方向に延設される支持体３１と、該支持体３１の後端から上方に延設される支持柱３２と、該支持柱３２に回転自在に外嵌される支持パイプ３３と、該支持パイプ３３から前方に延設される固定板３４と、前記支持パイプ３３の後側面に固定される取付パイプ３５からなる。
【００１９】
前記固定板３４は前記支持体３１の上方に位置するように配置され、該固定板３４は平面視略扇形に形成され、外周に沿って支持柱３２を中心とする円弧状の長孔３４ａが開口され、該長孔３４ａを貫通して固定ネジ３９が前記支持体３１に形成したネジ孔に螺装され、固定板３４を任意の角度位置で固定可能としている。つまり、固定板３４、取付パイプ３５、支持杆２５、畦成形ディスク２６は、支持柱３２を中心として回動可能であり、固定板３４と支持体３１を固定ネジ３９で固定することによって、畦成形ディスク２６の角度を任意の角度位置で固定可能としている。
【００２０】
前記支持杆２５は角棒状に構成され、上部が角パイプで構成した前記取付パイプ３５に挿入され、ボルト２９により任意高さで固定可能としている。前記支持杆２５の下端にボス体２５ａの軸心が略水平方向に向けて固設され、該ボス体２５ａに畦成形ディスク２６の中心を支持する支持軸３６が固定される。
【００２１】
前記畦成形ディスク２６は凹面状の円板で構成され、凹んだ側を斜め前方（凸側を斜め後方）に向けて、中心が前記支持軸３６に回転自在に支持される。また、前記支持軸３６の前端にはスクレーパ３７の一端が固定され、スクレーパ３７の下辺を畦成形ディスク２６の内面（前面）に接するようにして円周側へ延設している。
【００２２】
このような構成において、そばを播種する場合には、取付バー９に対して左右方向所定の間隔で施肥播種機２・２・・・が取り付けられる。本実施形態では、取付バー９に３０センチメートル間隔で施肥播種機２が４台取り付けられる。つまり、図６に示す条間Ｗ１
＝３００ｍｍとしている。
【００２３】
そして、前記播種フレーム１４の後部から後方に延設した覆土装着ステー２１にはステー取付体２２が前後摺動可能に取り付けられ、ボルト２７により任意位置で固定可能とされるが、畦成形ディスク２６の配置位置は、図２に示すように、左右隣接する畦成形ユニット３０・３０の畦成形ディスク２６・２６は、交互に前後ずらせて配置される。所謂、畦成形ディスク２６・２６は千鳥配置としている。本実施形態では、右側の施肥播種機２から後方に延設した覆土装着ステー２１の前部にステー取付体２２が固定され、右から２番目の施肥播種機２から後方に延設した覆土装着ステー２１にはその後部にステー取付体２２が固定され、右から３番目の施肥播種機２から後方に延設した覆土装着ステー２１にはその前部にステー取付体２２が固定され、右から４番目の施肥播種機２から後方に延設した覆土装着ステー２１にはその後部にステー取付体２２が固定される。
こうして、図５に示すように、隣接する畦成形ユニット３０・３０の畦成形ディスク２６・２６は、左右方向において干渉することなくできるだけ近づけて配置されるようになる。
【００２４】
また、図５、図６に示すように、前記一つの畦成形ユニット３０の左右の畦成形ディスク２６・２６の間隔Ｗ２は、ステー取付体２２に対してボルト２８を緩めて、取付ステー２３・２３を左右方向に摺動させることにより任意に調節すことが可能となる。この畦成形ディスク２６・２６の間隔Ｗ２は、施肥播種機２・２の間隔（条間Ｗ１）よりも短くし（Ｗ１＞Ｗ２）、隣接する左右の畦成形ディスク２６・２６は、後面視で一部重複するように配置される。こうして、隣接する左右の畦成形ディスク２６・２６によりひとつの溝を形成することができる。なお、重複せずに離れて配置すると従来のように畦成形ディスク２６と畦成形ディスク２６の間に山ができてしまう。また、隣接する左右の畦成形ディスク２６・２６を後面視で完全に重複させると前側の畦成形ディスク２６により土が片方へのみ移動され、後側の畦成形ディスク２６には移動させる土が少なく、他方には畦が成形できなくなる。
【００２５】
また、図７に示すように、畦成形ディスク２６の平面視における進行方向に対する角度θ（軸心に対して直角方向の面の角度）は、前記固定ネジ３９を緩めることで、支持柱３２を中心に固定板３４、支持杆２５、畦成形ディスク２６を回転させて変更できる。本実施形態では、前後方向から４０度までの範囲（０〜４０°）で変更でき、その範囲は長孔３４ａにより規制される。畦成形ディスク２６を大きく傾斜させるほど土寄せ量は多くなる。一方、牽引抵抗も大きくなる。なお、畦成形ディスク２６の傾斜角度が容易に分かるように長孔３４ａに沿って目盛を設けてもよい。
【００２６】
そして、畦成形ディスク２６の高さは、ボルト２９を緩めることにより、取付パイプ３５に対して支持杆２５を上下方向に摺動させて、高さ調節が可能となる。図３に示すように、畦成形ディスク２６の下部が作溝ディスク１６よりも深く土中に入るように高さが調節される。本実施形態では、そば用の畦成形機１としているため、小畦を成形できればよく、畦成形ディスク２６の直径は、２３０ｍｍ程度とし、条間に配置できて、播種と同時に畦立ができるようにしている。そして、地表から畦成形ディスク２６の下端までの長さ（深さ）Ｄは８０ｍｍ程度が土中に入るようにし、前記角度θは３０度程度傾ける。この状態で施肥播種機２を牽引しながら畦成形作業を行うと、畦上端から溝底部までの高さは１００ｍｍ程度に形成でき、地表には５０ｍｍ程度の小畦が形成される。しかし、土質や走行速度等の違いによって畦と溝は所望の大きさに成形できないことがある。このような場合には、前記ボルト２９を緩めて支持杆２５の高さを調整したり、固定ネジ３９を緩めて畦成形ディスク２６の角度を変更したり、この角度変更に合わせてボルト２８を緩めて取付ステー２３の位置を変更して、所望の畦高さ及び溝深さに調整することができる。
【００２７】
このように構成した施肥播種機２と畦成形機１をトラクタ３のロータリ耕耘装置４に装着して、耕耘後に播種と畦成形を同時に行うと、後面視において、播種位置近傍に小畦が形成され、播種位置と播種位置の間にひとつの溝が形成されるようになる。こうして、播種と同時に畦を成形できるため、雨が降っても溝に沿って排水され、種子の冠水を防ぎ、発芽時やそれ以降の湿害を回避でき、収量を向上させることができる。
但し、上記実施形態において、前記支持杆２５、取付パイプ３５、取付ステー２３、左右方向嵌合部２２ｂ、覆土装着ステー２１、前後方向嵌合部２２ａはそれぞれ断面四角状に構成したがその形状は限定するものではなく、六角形等の多角形で構成することもできる。また、固定方法はボルトやネジに限定するものではなく、ピンやカム等で固定することもできる。
【００２８】
以上のように、左右一対の円板状の畦成形ディスク２６・２６を、前後上下左右に位置調整可能に取付可能とする支持体２０に取り付けて畦成形ユニット３０を構成し、牽引作業車となるトラクタ３の後部に複数の畦成形ユニット３０・３０・・・を左右方向に装着する畦成形機１であって、複数の前記畦成形ユニット３０・３０・・・は前後方向に交互にずらせて配置されるので、畦成形ユニット３０の左右の畦成形ディスク２６・２６の間隔を広げても、左右に隣接する畦成形ディスク２６と当たることがなく、隣接する畦成形ディスク２６・２６を近づけて配置して、一つの溝を成形することができ、畦も成形することができ、排水性を高め、湿害を防止できる。また、円板状の畦成形ディスク２６で畦を成形するため、進行方向に対する抵抗を小さくでき、畝立器（培土板）のように板面に当たる土を全て側方へ移動させるものではないため、大きな畦ではなく作物の種類（そば）に合わせた小さな畦を成形することができる。
【００２９】
また、前記畦成形ユニット３０の左右隣接する畦成形ディスク２６・２６は、後面視で一部重複して配置されるので、前進とともに左右に土が振り分け移動されて、一つの溝を成形でき、二つの畦成形ディスク２６・２６の間に更に小さい山を成形することがなく、きれいな溝を成形できる。
【００３０】
また、前記畦成形ユニット３０はトラクタ３の後部に取り付けられる播種機２の後部に一体的に取り付けられるので、播種と同時に畦成形ができ、畦の中央に播種ができるため、播種位置は高い位置で溝から離れ、湿害に対する効果を更に高められる。
【符号の説明】
【００３１】
１    畦成形機
３    トラクタ
２０  支持体
２６  畦成形ディスク
３０  畦成形ユニット
【図１】
0006651683.tif 000002
【図２】
0006651683.tif 000003
【図３】
0006651683.tif 000004
【図４】
0006651683.tif 000005
【図５】
0006651683.tif 000006
【図６】
0006651683.tif 000007
【図７】
0006651683.tif 000008
【図８】
0006651683.tif 000009